(57)【要約】【構成】ＣＣＤイメージャ１６は、基準クロックに基づいて駆動され、シーンを表す生画像信号を伝送線Ｌ＿１を通してセレクタ２２に与える。一方、ダミーの伝送線Ｌ＿２は、伝送線Ｌ＿１と同じ品質を有する。したがって、基準クロックと高周波信号との相互干渉に起因するノイズが伝送線Ｌ＿１に重畳されると、これと同じノイズが伝送線Ｌ＿２にも重畳される。減算器２０は、生画像信号に重畳されたノイズを伝送線Ｌ＿２に重畳されたノイズによって除去する。セレクタ２２は、相互干渉によって発生したノイズのレベルが基準値以下のときノイズ除去前の生画像信号を選択し、相互干渉によって発生したノイズのレベルが基準値を上回るときノイズ除去後の生画像信号を選択する。【効果】相互干渉の有無を考慮した適応的な画質改善ひいては撮像性能の向上が図られる。【選択図】図２
2013128239.tif 000002
【特許請求の範囲】
【請求項１】
撮像面で捉えられた光学像に対応する電子画像を出力する撮像手段、
クロック信号に基づいて前記撮像手段を駆動する駆動手段、
前記クロック信号と高周波信号との相互干渉に起因するノイズを作成する作成手段、
前記撮像手段から出力された電子画像に前記作成手段によって作成されたノイズを参照したノイズ除去を施す除去手段、
前記作成手段によって作成されたノイズのレベルが基準以下のとき前記撮像手段から出力された電子画像を選択する第１選択手段、および
前記作成手段によって作成されたノイズのレベルが前記基準を上回るとき前記除去手段から出力された電子画像を選択する第２選択手段を備える、電子カメラ。
【請求項２】
前記撮像手段は前記電子画像を伝送する第１伝送線を含み、
前記作成手段は前記第１伝送線に相当する品質を有する第２伝送線を含む、請求項１記載の電子カメラ。
【請求項３】
前記第１伝送線に重畳されたノイズを前記撮像手段の出力を制限した状態で検出する検出手段をさらに備え、
前記第１選択手段および前記第２選択手段の各々は前記検出手段によって検出されたノイズのレベルに注目して処理を実行する、請求項２記載の電子カメラ。
【請求項４】
前記撮像手段の駆動モードを低解像度に対応する第１モードと高解像度に対応する第２モードのいずれか一方に設定する設定手段、および
前記設定手段の設定に応じて異なるように前記クロック信号の周波数を調整する調整手段をさらに備える、請求項１ないし３のいずれかに記載の電子カメラ。
【請求項５】
前記第１モードの設定に対応して前記撮像手段から出力された電子画像を表示する表示手段、および
前記第２モードの設定に対応して前記撮像手段から出力された電子画像を記録する記録手段をさらに備える、請求項４記載の電子カメラ。
【発明の詳細な説明】
【技術分野】
【０００１】
この発明は、電子カメラに関し、特に撮像面で捉えられた光学像に対応する電子画像を出力する撮像装置をクロック信号に基づいて駆動する、電子カメラに関する。
【背景技術】
【０００２】
この種のカメラの一例が、特許文献１に開示されている。この背景技術によれば、複数の出力端子が撮像素子に設けられる。信号差補正手段は各々の出力端子から出力された画像信号の信号差を補正し、黒レベル補正手段は信号差補正手段から出力された画像信号の黒レベルを補正する。こうして補正された画像信号はその後、合成手段によって合成される。これによって、合成画像の品質が改善される。
【先行技術文献】
【特許文献】
【０００３】
【特許文献１】特開２００８−２１９３９７号公報
【発明の概要】
【発明が解決しようとする課題】
【０００４】
しかし、背景技術では、外部電磁界とクロックとの相互干渉が生じたときの対策を想定していないため、合成画像の品質ひいては撮像性能に限界がある。
【０００５】
それゆえに、この発明の主たる目的は、撮像性能を高めることができる、電子カメラを提供することである。
【課題を解決するための手段】
【０００６】
この発明に従う電子カメラ(10：実施例で相当する参照符号。以下同じ)は、撮像面で捉えられた光学像に対応する電子画像を出力する撮像手段(16, L_1)、クロック信号に基づいて撮像手段を駆動する駆動手段(46)、クロック信号と高周波信号との相互干渉に起因するノイズを作成する作成手段(108, L_2)、撮像手段から出力された電子画像に作成手段によって作成されたノイズを参照したノイズ除去を施す除去手段(20)、作成手段によって作成されたノイズのレベルが基準以下のとき撮像手段から出力された電子画像を選択する第１選択手段(S1)、および作成手段によって作成されたノイズのレベルが基準を上回るとき除去手段から出力された電子画像を選択する第２選択手段(S33~S35)を備える。
【０００７】
好ましくは、撮像手段は電子画像を伝送する第１伝送線(L_1)を含み、作成手段は第１伝送線に相当する品質を有する第２伝送線(L_2)を含む。
【０００８】
さらに好ましくは、第１伝送線に重畳されたノイズを撮像手段の出力を制限した状態で検出する検出手段(S25, S31)がさらに備えられ、第１選択手段および第２選択手段の各々は検出手段によって検出されたノイズのレベルに注目して処理を実行する。
【０００９】
好ましくは、撮像手段の駆動モードを低解像度に対応する第１モードと高解像度に対応する第２モードのいずれか一方に設定する設定手段(S5, S23)、および設定手段の設定に応じて異なるようにクロック信号の周波数を調整する調整手段(S3, S21)がさらに備えられる。
【００１０】
さらに好ましくは、第１モードの設定に対応して撮像手段から出力された電子画像を表示する表示手段(S7)、および第２モードの設定に対応して撮像手段から出力された電子画像を記録する記録手段(S31~S33)がさらに備えられる。
【発明の効果】
【００１１】
この発明によれば、クロック信号に基づいて撮像手段から出力された電子画像は、クロック信号と高周波信号との相互干渉に起因して作成されたノイズを参照して、ノイズ除去を施される。ただし、ノイズレベルが基準以下のときは撮像手段から出力された電子画像が選択される。
【００１２】
つまり、相互干渉が生じるときはノイズ除去後の電子画像が選択される一方、相互干渉が生じていないときはノイズ除去前の電子画像が選択される。これによって、相互干渉の有無を考慮した適応的な画質改善ひいては撮像性能の向上が図られる。
【００１３】
この発明の上述の目的，その他の目的，特徴および利点は、図面を参照して行う以下の実施例の詳細な説明から一層明らかとなろう。
【図面の簡単な説明】
【００１４】
【図１】この発明の一実施例の基本的構成を示すブロック図である。
【図２】この発明の一実施例の構成を示すブロック図である。
【図３】図２実施例に適用されるクロック発生回路の構成の一例を示すブロック図である。
【図４】図２実施例に適用されるＴＧの構成の一例を示すブロック図である。
【図５】図２実施例に適用されるＣＣＤイメージャの構成の一例を示す図解図である。
【図６】図２実施例に適用されるＣＰＵの動作の一部を示すフロー図である。
【図７】図２実施例に適用されるＣＰＵの動作の他の一部を示すフロー図である。
【図８】図２実施例に適用されるＣＰＵの動作のその他の一部を示すフロー図である。
【発明を実施するための形態】
【００１５】
以下、この発明の実施の形態を図面を参照しながら説明する。
［基本的構成］
【００１６】
図１を参照して、この実施例の電子カメラは、基本的に次のように構成される。撮像手段１は、撮像面で捉えられた光学像に対応する電子画像を出力する。駆動手段２は、クロック信号に基づいて撮像手段を駆動する。作成手段３は、クロック信号と高周波信号との相互干渉に起因するノイズを作成する。除去手段４は、撮像手段１から出力された電子画像に作成手段３によって作成されたノイズを参照したノイズ除去を施す。第１選択手段５は、作成手段３によって作成されたノイズのレベルが基準以下のとき撮像手段１から出力された電子画像を選択する。第２選択手段６は、作成手段３によって作成されたノイズのレベルが基準を上回るとき除去手段４から出力された電子画像を選択する。
【００１７】
クロック信号に基づいて撮像手段１から出力された電子画像は、クロック信号と高周波信号との相互干渉に起因して作成されたノイズを参照して、ノイズ除去を施される。ただし、ノイズレベルが基準以下のときは撮像手段１から出力された電子画像が選択される。
【００１８】
つまり、相互干渉が生じるときはノイズ除去後の電子画像が選択される一方、相互干渉が生じていないときはノイズ除去前の電子画像が選択される。これによって、相互干渉の有無を考慮した適応的な画質改善ひいては撮像性能の向上が図られる。
［実施例］
【００１９】
図２を参照して、この実施例のディジタルカメラ１０は、ドライバ１８ａおよび１８ｂによってそれぞれ駆動されるフォーカスレンズ１２および絞りユニット１４を含む。これらの部材を経た光学像は、インターライン転送型のＣＣＤイメージャ１６の撮像面に照射され、光電変換を施される。
【００２０】
電源が投入されると、ＣＰＵ３６は、セレクタ２２に端子Ｔ１の選択を要求し、基準クロックが周波数Ｆ１（＝２０ＭＨｚ）を示すようにクロック発生回路４４の設定を調整する。ＣＰＵ３６はさらに、低解像度モードをＴＧ(Timing Generator)４６に設定し、動画取り込み＆表示処理の実行を信号処理回路２６およびＬＣＤドライバ３２に命令する。
【００２１】
セレクタ２２は端子Ｔ１を選択し、クロック発生回路４４は周波数Ｆ１を有する基準クロックを出力する。また、ＴＧ４６は、低解像度モードに従う態様でＣＣＤイメージャ１６を駆動する処理を、クロック発生回路４４から出力された基準クロックに基づいて実行する。
【００２２】
具体的には、ＴＧ４６は、撮像面の露光時間を定義する電荷掃き捨てパルス，露光によって生成された電荷を撮像面から読み出す電荷読み出しパルス，読み出された電荷を転送する垂直転送パルスおよび水平転送パルスを低解像度モードに適合する態様でＣＣＤイメージャ１６に与える。この結果、撮像面から読み出された電荷に基づく低解像度の生画像信号が、ラスタ走査態様でＣＣＤイメージャ１６から繰り返し出力される。出力された生画像信号は、伝送線Ｌ＿１およびセレクタ２２を経てＡＦＥ回路２４に与えられる。
【００２３】
ＡＦＥ回路２４は、与えられた生画像信号に相関二重サンプリング，自動ゲイン調整，Ａ／Ｄ変換の一連の処理を施し、ディジタル信号である生画像データを作成する。作成された生画像データは、信号処理回路２６によって白バランス調整，色分離，ＹＵＶ変換などの処理を施される。これによって生成されたＹＵＶ形式の画像データは、メモリ制御回路２８を通してＳＤＲＡＭ３０の動画エリア３０ａに書き込まれる。
【００２４】
ＬＣＤドライバ３２は、動画エリア３０ａに格納された画像データをメモリ制御回路２８を通して繰り返し読み出し、読み出された画像データに基づいてＬＣＤモニタ３４を駆動する。この結果、撮像面で捉えられたシーンを表すリアルタイム動画像（スルー画像）がモニタ画面に表示される。
【００２５】
信号処理回路２６によって作成された画像データを形成するＹデータは、ＣＰＵ３６にも与えられる。ＣＰＵ３６は、与えられたＹデータにＡＥ処理を施して適正ＥＶ値を算出し、算出された適正ＥＶ値を定義する絞り量および露光時間をドライバ１８ｂおよびＴＧ４６にそれぞれ設定する。これによって、スルー画像の明るさが適度に調整される。
【００２６】
キー入力装置３８に設けられたシャッタボタン３８ｓｈが半押しされると、ＣＰＵ３６は、信号処理回路２６から与えられたＹデータに厳格ＡＥ処理を施して最適ＥＶ値を算出する。算出された最適ＥＶ値を定義する絞り量および露光時間は、上述と同様、ドライバ１８ｂおよびＴＧ４６にそれぞれ設定される。この結果、スルー画像の明るさが最適値に調整される。ＣＰＵ３６はまた、信号処理回路２６から与えられたＹデータの高周波成分にＡＦ処理を施す。これによってフォーカスレンズ１２が合焦点に配置され、スルー画像の鮮鋭度が向上する。
【００２７】
シャッタボタン３８ｓｈが全押しされると、ＣＰＵ３６は、動画取り込み＆表示処理の中断を信号処理回路２６およびＬＣＤドライバ３２に命令する。この結果、スルー画像の表示が中断される。
【００２８】
ＣＰＵ３６は続いて、基準クロックが周波数Ｆ２（＝４０ＭＨｚ）を示すようにクロック発生回路４４の設定を調整し、高解像度モードをＴＧ４６に設定し、電荷掃き捨てパルス，電荷読み出しパルス，垂直転送パルスおよび水平転送パルスのうち電荷読み出しパルスの出力の中断をＴＧ４６に命令する。
【００２９】
クロック発生回路４４は、周波数Ｆ２を有する基準クロックを出力する。ＴＧ４６は、電荷掃き捨てパルス，垂直転送パルスおよび水平転送パルスを高解像度モードに従う態様で出力する処理を、周波数Ｆ２を有する基準クロックに基づいて実行する。
【００３０】
ディジタルカメラ１０の周辺に強電磁界が存在すると、周波数Ｆ２を有する基準クロックやＴＧ２２から出力される上述のパルスと強電磁界との相互干渉に起因するノイズが伝送線Ｌ＿１に重畳されるおそれがある。
【００３１】
このようなノイズを抑制するべく、伝送線Ｌ＿２および減算器２０が設けられる。伝送線Ｌ＿２は、伝送線Ｌ＿１と同じ品質（品質：素材，寸法）を有する。また、減算器２０は、伝送線Ｌ＿１を伝送される信号成分（＝生画像信号およびノイズ）から伝送路Ｌ＿２を伝送される信号（＝ノイズ）を減算する。
【００３２】
ノイズ対策にあたって、ＣＰＵ３６は、まず固定パターンノイズに相当するデータをＡＦＥ回路２４の出力から検出する。検出されたデータ値が基準値ＲＥＦを上回ると、ＣＰＵ３６は、セレクタ２２に端子Ｔ２の選択を要求する。なお、検出されたデータ値が基準値ＲＥＦ未満であれば、ＣＰＵ３６は、セレクタ２２の現状の設定を維持する。
【００３３】
セレクタ２２の調整がこうして完了すると、ＣＰＵ３６は、電荷読み出しパルスの出力の再開をＴＧ４６に命令する。ＴＧ４６は、電荷掃き捨てパルス，垂直転送パルスおよび水平転送パルスに加えて、電荷読み出しパルスを高解像度モードに従う態様で発生する。
【００３４】
この結果、ＣＣＤイメージャ１６の撮像面で生成された電荷の全てがラスタ走査態様で読み出され、読み出された電荷に基づく高解像度の生画像信号がＣＣＤイメージャ１６から周期的に出力される。また、ＡＦＥ回路２４からは、ノイズが抑制された生画像データが出力される。
【００３５】
ＣＰＵ３６はその後、静止画取り込み処理の実行を信号処理回路２６に命令し、記録処理の実行をメモリＩ／Ｆ４０に命令する。信号処理回路２６は、ＡＦＥ回路２４から出力された最新１フレームの生画像データに基づくＹＵＶ形式の画像データをメモリ制御回路２８を通してＳＤＲＡＭ３０の静止画エリア３０ｂに書き込む。メモリＩ／Ｆ４０は、静止画エリア３０ｂに格納された画像データをメモリ制御回路２８を通して読み出し、読み出された画像データをファイル形式で記録媒体４２に記録する。
【００３６】
クロック発生回路４４は、ＰＬＬ(Phase Lock Loop)方式を採用し、詳しくは図３に示すように構成される。発振器５０は、周波数Ｆｏｓｃ（＝４８ＭＨｚ）を有するＯＳＣクロックをカウンタ５２のＣＬＫ端子に与える。カウンタ５２のＲＳＴ端子にはまた、比較器５４の出力が与えられる。カウンタ５２のカウント値は、ＯＳＣクロックの立ち上がりに応答してインクリメントされ、比較器５４の出力の立ち上がりに応答してリセットされる。
【００３７】
比較器５４は、カウンタ５２のカウント値を閾値Ｒ（＝６３）と比較し、カウント値が閾値Ｒ未満のとき出力をＬレベルに設定する一方、カウント値が閾値Ｒ以上のとき出力をＨレベルに設定する。したがって、比較器５４の出力は、閾値Ｒに相当する期間毎に１クロック期間だけ立ち上がる。
【００３８】
一方、電圧制御発振器６０は、周波数Ｆｖｃｏを有するＶＣＯクロックをカウンタ６２のＣＬＫ端子に与える。カウンタ６２のＲＳＴ端子にはまた、比較器６４の出力が与えられる。カウンタ６２のカウント値は、ＶＣＯクロックの立ち上がりに応答してインクリメントされ、比較器６４の出力の立ち上がりに応答してリセットされる。
【００３９】
比較器６４は、カウンタ６２のカウント値を閾値Ｍ（＝８４０）と比較し、カウント値が閾値Ｍ未満のとき出力をＬレベルに設定する一方、カウント値が閾値Ｍ以上のとき出力をＨレベルに設定する。したがって、比較器６４の出力は、閾値Ｍに相当する期間毎に１クロック期間だけ立ち上がる。
【００４０】
位相比較器５６は、比較器５４の出力と比較器６４の出力との位相差を検出し、検出された位相差に応じて異なるように出力レベルを制御する。位相比較器５８の出力はＬＰＦ５８を経て電圧制御発振器６０に与えられる。この結果、周波数Ｆｖｃｏの値は“Ｆｏｓｃ＊（２＊Ｍ／Ｒ）”を示すように調整される。
【００４１】
分周器６６は、ＶＣＯクロックの周波数を１／２に分割し、これによって作成された分周クロックをカウンタ６８のＣＬＫ端子に与える。カウンタ６８のＲＳＴ端子にはまた、比較器７０の出力が与えられる。カウンタ６８のカウント値は、分周クロックの立ち上がりに応答してインクリメントされ、比較器７０の出力の立ち上がりに応答してリセットされる。
【００４２】
比較器７０は、カウンタ６８のカウント値を閾値Ｐ（＝３２または１６）と比較し、カウント値が閾値Ｐ未満のとき出力をＬレベルに設定する一方、カウント値が閾値Ｐ以上のとき出力をＨレベルに設定する。したがって、比較器７０の出力は閾値Ｐに相当する期間毎に１クロック期間だけ立ち上がる。このような比較器７０の出力が、基準クロックとしてクロック発生回路２０から出力される。基準クロックの周波数は、“Ｆｖｃｏ／（２＊Ｐ）”または“Ｆｏｓｃ＊Ｍ／（Ｒ＊Ｐ）”を示すように調整される。
【００４３】
低解像度モードでは、比較器７０に設定される閾値Ｐは“３２”を示す。この結果、基準クロックの周波数は２０ＭＨｚに調整される。高解像度モードに移行すると、比較器７０に設定される閾値Ｐは“１６”に変更される。この結果、基準クロックの周波数は４０ＭＨｚに調整される。
【００４４】
ＴＧ４６は、図４に示すように構成される。クロック発生回路４４から出力された基準クロックは、Ｈカウンタ８０のＣＬＫ端子に与えられる。Ｈカウンタ８０のＲＳＴ端子にはまた、比較器８２の出力が与えられる。Ｈカウンタ８０のカウント値は、基準クロックの立ち上がりに応答してインクリメントされ、比較器８２の出力の立ち上がりに応答してリセットされる。
【００４５】
比較器８２は、Ｈカウンタ８０のカウント値を閾値ＲＥＦ＿Ｈと比較し、カウント値が閾値ＲＥＦ＿Ｈ未満のとき出力をＬレベルに設定する一方、カウント値が閾値ＲＥＦ＿Ｈ以上のとき出力をＨレベルに設定する。したがって、比較器８２の出力は、閾値ＲＥＦ＿Ｈに相当する期間毎（＝１水平ライン期間毎）に１クロック期間だけ立ち上がる。
【００４６】
比較器８２の出力は、Ｖカウンタ８４のＣＬＫ端子に与えられる。Ｖカウンタ８４のＲＳＴ端子にはまた、比較器８６の出力が与えられる。Ｖカウンタ８４のカウント値は、比較器８２の出力の立ち上がりに応答してインクリメントされ、比較器８６の出力の立ち上がりに応答してリセットされる。
【００４７】
比較器８６は、Ｖカウンタ８４のカウント値を閾値ＲＥＦ＿Ｖと比較し、カウント値が閾値ＲＥＦ＿Ｖ未満のとき出力をＬレベルに設定する一方、カウント値が閾値ＲＥＦ＿Ｖ以上のとき出力をＨレベルに設定する。したがって、比較器８６の出力は、閾値ＲＥＦ＿Ｖに相当する期間毎（＝１フレーム期間毎）に１水平ライン期間だけ立ち上がる。
【００４８】
Ｈカウンタ８０のカウント値およびＶカウンタ８４のカウント値は、デコーダ８８〜９４の各々に与えられる。デコーダ８８は、与えられたカウント値とＣＰＵ３６によって調整された露光時間とに基づいて電荷掃き捨てパルスを作成する。デコーダ９０は与えられたカウント値に基づいて電荷読み出しパルスを作成し、デコーダ９２は与えられたカウント値に基づいて垂直転送パルスを作成し、デコーダ９４は与えられたカウント値に基づいて水平転送パルスを作成する。
【００４９】
ここで、閾値ＲＥＦ＿ＨおよびＲＥＦ＿Ｖおよびデコーダ８８〜９４の設定は、低解像度モードおよび高解像度モードの各々に適合するように適宜変更される。この結果、電荷掃き捨てパルス，電荷読み出しパルス，垂直転送パルスおよび水平転送パルスは、クロック発生回路２０から出力された基準クロックに基づいて、低解像度モードおよび高解像度モードに各々に適合する態様で出力される。
【００５０】
ＣＣＤイメージャ１６は、図５に示すように構成される。撮像面には、複数の受光素子１００，１００，…がマトリクス状に配列される。共通の垂直列を形成する複数の受光素子１００，１００，…は、共通の垂直列を形成する複数の垂直転送ＣＣＤ１０２，１０２，…とそれぞれ接続される。また、垂直方向の終端において水平方向に並ぶ複数の垂直転送ＣＣＤ１０２，１０２，…は、水平方向に並ぶ複数の水平転送ＣＣＤ１０４，１０４，…とそれぞれ接続される。さらに、水平方向の終端に設けられた水平転送ＣＣＤ１０４には、ディフュージョンアンプ１０６が接続される。
【００５１】
各受光素子１００で生成された電荷は、デコーダ８８から出力された電荷掃き捨てパルスに応答して掃き捨てられ、デコーダ９０から出力された電荷読み出しパルスに応答して垂直転送ＣＣＤ１０２に読み出される。読み出された電荷はデコーダ９２から出力された垂直転送パルスに応答して垂直方向に転送され、水平転送ＣＣＤ１０４に達した電荷はデコーダ９４から出力された水平転送パルスに応答して水平方向に転送される。
【００５２】
この結果、撮像面で生成された電荷は、ラスタ走査態様で終端の水平転送ＣＣＤ１０４から出力される。ディフュージョンアンプ１０６は、こうして転送された電荷を電圧信号に変換し、変換された電圧信号を生画像信号として出力する。生画像信号は、伝送線Ｌ＿１を経てＡＦＥ回路２４に与えられる。
【００５３】
ディフュージョンアンプ１０８は、ディフュージョンアンプ１０６と同じの特性を示す。また、ディフュージョンアンプ１０８の入力端は開放され、ディフュージョンアンプ１０８の出力端は伝送線Ｌ＿２と接続される。したがって、伝送線Ｌ＿２に重畳されるノイズは、伝送線Ｌ＿１に重畳されるノイズと同じ波形を示す。
【００５４】
なお、１つの受光素子１００が１つの画素に相当し、ＣＣＤイメージャ１６から出力される生画像信号の解像度は、撮像面に設けられた受光素子１００の数によって定義される。
【００５５】
ＣＰＵ３６は、図６〜図８に示す撮像タスクを含む複数のタスクをマルチタスクＯＳの下で並列的に実行する。なお、これらのタスクに対応する制御プログラムは、フラッシュメモリ４４に記憶される。
【００５６】
図６を参照して、ステップＳ１ではセレクタ２２に端子Ｔ１の選択を要求し、ステップＳ３では比較器７０によって参照される閾値Ｐを“３２”に設定する。この結果、クロック発生回路２０から出力される基準クロックの周波数は、“Ｆ１”（＝２０ＭＨｚ）に調整される。ステップＳ５では、低解像度モードをＴＧ４６に設定する。ＴＧ４６は、電荷掃き捨てパルス，垂直転送パルスおよび水平転送パルスを低解像度モードに従う態様で出力する処理を、クロック発生回路４４から出力された基準クロックに基づいて実行する。この結果、低解像度の生画像信号がＣＣＤイメージャ１６から周期的に出力される。
【００５７】
ステップＳ７では、動画取り込み＆表示処理の実行を信号処理回路２６およびＬＣＤドライバ３２に命令する。信号処理回路２６はＣＣＤイメージャ１６から出力された生画像信号に基づいてＹＵＶ形式の画像データを作成し、ＬＣＤドライバ３２は信号処理回路２６によって作成された画像データに基づいてＬＣＤモニタ３４を駆動する。この結果、撮像面で捉えられたシーンを表すスルー画像がＬＣＤモニタ３４に表示される。
【００５８】
ステップＳ９ではシャッタボタン３８ｓｈが半押しされたか否かを判別し、判別結果がＮＯである限りステップＳ１１の簡易ＡＥ処理を繰り返し実行する。この結果、ＬＣＤモニタ３４に表示されたスルー画像の明るさが適度に調整される。ステップＳ９の判別結果がＮＯからＹＥＳに更新されると、ステップＳ１３で厳格ＡＥ処理およびＡＦ処理を実行する。厳格ＡＥ処理の結果、ＬＣＤモニタ３４に表示されたスルー画像の明るさが厳格に調整される。また、ＡＦ処理の結果、ＬＣＤモニタ３４に表示されたスルー画像の鮮鋭度が厳格に調整される。
【００５９】
ステップＳ１５ではシャッタボタン３８ｓｈが全押しされたか否かを判別し、ステップＳ１７ではシャッタボタン３８ｓｈの操作が解除されたか否かを判別する。ステップＳ１７の判別結果がＹＥＳであればステップＳ９に戻り、ステップＳ１５の判別結果がＹＥＳであればステップＳ１９に進む。
【００６０】
ステップＳ１９では動画取り込み＆表示処理の中断を信号処理回路２６およびＬＣＤドライバ３２に命令し、ステップＳ２１では閾値Ｐを“１６”に設定し、ステップＳ２３では高解像度モードをＴＧ４６に設定する。
【００６１】
ステップＳ１９の処理の結果、スルー画像の表示が中断される。また、ステップＳ２１の処理の結果、クロック発生回路４４から出力される基準クロックの周波数が“Ｆ２”（＝４０ＭＨｚ）に変更される。さらに、ステップＳ２３の処理の結果、ＴＧ４６は、電荷掃き捨てパルス，垂直転送パルスおよび水平転送パルスを高解像度モードに従う態様で出力する処理を、変更後の基準クロックに基づいて実行する。
【００６２】
ステップＳ２５ではＴＧ４６に設けられた電荷読み出し用のデコーダ９０を停止し、  ステップＳ２７ではノイズ対策処理を実行する。ステップＳ２７の処理の結果、周辺で発生した強電磁界との相互干渉に起因するノイズの有無を参照してセレクタ２０の設定が調整される。ノイズ対策処理が完了するとステップＳ２９に進み、電荷読み出し用のデコーダ９０を再起動する。これによって電荷読み出しが再開され、ノイズが抑制された高解像度の生画像データがＡＦＥ回路２４から繰り返し出力される。
【００６３】
ステップＳ３１では静止画取り込み処理の実行を信号処理回路２６に命令し、ステップＳ３３では記録処理の実行をメモリＩ／Ｆ４０に命令する。ステップＳ３１の処理の結果、ＡＦＥ回路２４から出力された最新１フレームの生画像信号に基づくＹＵＶ形式の画像データが、メモリ制御回路２８を通してＳＤＲＡＭ３０の静止画エリア３０ｂに書き込まれる。ステップ３３で発行された命令を受けたメモリＩ／Ｆ４０は、静止画エリア３０ｂに格納された画像データをメモリ制御回路２８を通して読み出し、読み出された画像データをファイル形式で記録媒体４２に記録する。記録処理が完了すると、ステップＳ１に戻る。
【００６４】
図７に示すステップＳ２７のノイズ対策処理は、図８に示すサブルーチンに従って実行される。ステップＳ３１では、ＡＦＥ回路２４の出力から固定パターンノイズに相当するデータを検出する。検出にあたっては、フーリエ変換を利用する。ステップＳ３３では、検出されたデータ値（＝ノイズレベル）が基準値ＲＥＦ以下であるか否かを判別する。判別結果がＮＯであればそのまま上階層ルーチンに復帰する一方、判別結果がＹＥＳであればステップＳ３５でセレクタ２２に端子Ｔ２の選択を要求してから上階層のルーチンに復帰する。ステップＳ３５の処理の結果、周辺で発生した強電磁界との相互干渉に起因するノイズが低減される。
【００６５】
以上の説明から分かるように、ＣＣＤイメージャ１６は、撮像面で捉えられた光学像に対応する生画像信号を、伝送線Ｌ＿１を通してセレクタ２２に与える。ＴＧ４６は、クロック発生回路４４から発生された基準クロックに基づいてＣＣＤイメージャ１６を駆動する。ダミーの伝送線Ｌ＿２は、伝送線Ｌ＿１と同じ品質を有する。したがって、基準クロックと高周波信号との相互干渉に起因するノイズが伝送線Ｌ＿１に重畳されると、これと同じノイズが伝送線Ｌ＿２にも重畳される。減算器２０は、生画像信号に重畳されたノイズを伝送線Ｌ＿２に重畳されたノイズによって除去する。ＣＰＵ３６は、相互干渉によって発生したノイズのレベルが基準値ＲＥＦ以下のときＣＣＤイメージャ１６から出力された生画像信号の選択をセレクタ２２に要求し(S1)、相互干渉によって発生したノイズのレベルが基準値ＲＥＦを上回るとき減算器２０から出力された生画像信号の選択をセレクタ２２に要求する(S33~S35)。
【００６６】
このように、相互干渉が生じるときはノイズ除去後の生画像信号が選択される一方、相互干渉が生じていないときはノイズ除去前の生画像信号が選択される。これによって、相互干渉の有無を考慮した適応的な画質改善ひいては撮像性能の向上が図られる。
【００６７】
なお、この実施例では、シャッタボタン３８ｓｈの操作に応答して１フレームの画像データを記録するスチルカメラを想定しているが、この発明はムービーボタンの操作に応答して複数フレームの画像データを記録するムービーカメラにも適用できる。この場合、ノイズ対策処理は、ムービーボタンが操作されてから動画記録が開始されるまでの間に実行される。
【００６８】
また、この実施例では、基準クロックとの相互干渉に起因するノイズを正確に検知するために、ノイズ対策処理に先立って電荷読み出し用のデコーダ９０を停止するようにしている。しかし、電荷読み出しを停止する代わりに、読み出された電荷を逆方向に転送したり、メカシャッタによって撮像面への入射光を遮断したり、受光素子１００で生成された全ての電荷を掃き捨てるようにしてもよい。
【符号の説明】
【００６９】
１０  …ディジタルカメラ
１６  …ＣＣＤイメージャ
１８ａ〜１８ｂ  …ドライバ
２４  …ＡＦＥ回路
２６  …信号処理回路
３４  …ＬＣＤモニタ
３６  …ＣＰＵ
４４  …クロック発生回路
４６  …ＴＧ
【図１】
2013128239.tif 000003
【図２】
2013128239.tif 000004
【図３】
2013128239.tif 000005
【図４】
2013128239.tif 000006
【図５】
2013128239.tif 000007
【図６】
2013128239.tif 000008
【図７】
2013128239.tif 000009
【図８】
2013128239.tif 000010